(57)【要約】【課題】取り付けが容易な送風装置を提供すること目的とする。【解決手段】装置本体側面に接続される取付け脚と、取付け板と、取付け板と接続される固定金具と、を備え、取付け脚は、第１固定部材が挿入される第１挿入部と、第２固定部材が挿入される第２挿入部と、を備え、第１挿入部は、点検口から見て装置本体の奥側に設けられ、第２挿入部は、点検口から見て装置本体の手前側に設けられ、第１固定部材が取付け板に水平な方向に第１挿入部に挿入され、第２固定部材が取付け板に垂直な方向に第２挿入部に挿入されて取付け脚と固定金具とを接続する送風装置。【選択図】図４
2019100589.tif 000002
【特許請求の範囲】
【請求項１】
点検口を有する浴室の天井裏に装置本体が設置される送風装置において、
前記装置本体側面に接続される取付け脚と、
取付け板と、
前記取付け板と接続される固定金具と、を備え、
前記装置本体は、前記取付け脚と前記固定金具とが接続されることで前記取付け板に取り付けられ、
前記取付け脚は、第１固定部材が挿入される第１挿入部と、第２固定部材が挿入される第２挿入部と、を備え、
前記第１挿入部は、前記点検口から見て前記装置本体の奥側に設けられ、
前記第２挿入部は、前記点検口から見て前記装置本体の手前側に設けられ、
前記第１固定部材が前記取付け板に水平な方向に前記第１挿入部に挿入され、前記第２固定部材が前記取付け板に垂直な方向に前記第２挿入部に挿入されて前記取付け脚と前記固定金具とを接続することを特徴とする送風装置。
【請求項２】
浴室の天井裏に装置本体が設置される送風装置において、
前記装置本体側面に設けられる取付け脚と、
前記装置本体が取り付けられる取付け板と、
前記取付け板と接続される固定金具と、を備え、
前記固定金具は、前記取付け脚と係合する係合部を含み、
前記取付け脚は、前記係合部と係合する開口を有し、
前記取付け板と前記係合部とで仕切られる領域に前記取付け脚が挿入されることで前記係合部が前記開口と係合し、前記装置本体を前記取付け板に固定することを特徴とする送風装置。
【発明の詳細な説明】
【技術分野】
【０００１】
本発明は、浴室の天井裏に設置される送風装置に関するものである。
【背景技術】
【０００２】
従来、この種の送風装置は、家屋の天井裏に設置され、屋内空気の排気や外気の給気を行うものが知られている（例えば、特許文献１参照）。
【０００３】
以下、送風装置について図１８を参照しながら説明する。
【０００４】
図１８に示すように送風装置の装置本体１１１は家屋に取り付けられた取り付けボルト１０１に、取付金具１０２を介してボルト１０３にて固定され設置される。
【先行技術文献】
【特許文献】
【０００５】
【特許文献１】特開平３−１７５２２５号公報
【発明の概要】
【発明が解決しようとする課題】
【０００６】
この様な従来の送風装置においては、運転時のファンモーターの振動などを抑制するために強固に固定する必要があり、建物の梁などにボルトを取り付け、ボルトに金具などを用いて取り付ける構造が必要であった。そのため、ボルトの取り付け工事が必要であり、梁の位置により取り付け場所も制限されるという課題があった。
【０００７】
そこで本発明は、上記従来の課題を解決するものであり、天井裏への取り付けが容易な送風装置を提供することを目的とする。
【課題を解決するための手段】
【０００８】
そして、この目的を達成するために、本発明の一態様に係る送風装置は、点検口を有する浴室の天井裏に装置本体が設置される送風装置において、前記装置本体側面に接続される取付け脚と、取付け板と、前記取付け板と接続される固定金具と、を備え、前記装置本体は、前記取付け脚と前記固定金具とが接続されることで前記取付け板に取り付けられ、前記取付け脚は、第１固定部材が挿入される第１挿入部と、第２固定部材が挿入される第２挿入部と、を備え、前記第１挿入部は、前記点検口から見て前記装置本体の奥側に設けられ、前記第２挿入部は、前記点検口から見て前記装置本体の手前側に設けられ、前記第１固定部材が前記取付け板に水平な方向に前記第１挿入部に挿入され、前記第２固定部材が前記取付け板に垂直な方向に前記第２挿入部に挿入されて前記取付け脚と前記固定金具とを接続することを特徴とする送風装置としたものであり、これにより所期の目的を達成するものである。
【発明の効果】
【０００９】
本発明によれば、作業性が向上し、機器を容易に、強固に固定することができる。
【図面の簡単な説明】
【００１０】
【図１】本発明の実施の形態１の送風装置を浴室に設置した状態を示す側面図
【図２】（ａ）同送風装置を示す構成図（ｂ）同取付け板および同固定金具を示す構成図
【図３】（ａ）同送風装置を示す斜視図（ｂ）同送風装置を示す斜視図
【図４】（ａ）同送風装置の取付け方法を示す断面図（ｂ）同送風装置の取付け方法を示す断面図
【図５】（ａ）同送風装置を示す斜視図（ｂ）同送風装置を示す斜視図
【図６】（ａ）同送風装置の取付け方法を示す斜視図（ｂ）同送風装置の取付け方法を示す斜視図
【図７】同取付け脚を示す構成図
【図８】同固定金具を示す構成図
【図９】（ａ）同送風装置の取付け方法を示す図（ｂ）同送風装置の取付け方法を示す図
【図１０】（ａ）本発明の実施の形態２の送風装置の取付け方法を示す図（ｂ）同送風装置の取付け方法を示す図
【図１１】（ａ）同送風装置の構成を示す斜視図（ｂ）同送風装置の構成を示す斜視図
【図１２】（ａ）同送風装置の取付け方法を示す斜視図（ｂ）同送風装置の取付け方法を示す斜視図
【図１３】同取付け板および同固定金具を示す構成図
【図１４】同固定金具を示す構成図
【図１５】同取付け脚を示す構成図
【図１６】（ａ）同送風装置の取付け方法を示す図（ｂ）同送風装置の取付け方法を示す図
【図１７】同送風装置の取付け方法を示す図
【図１８】従来の送風装置を示す構成図
【発明を実施するための形態】
【００１１】
本発明の一態様に係る送風装置は、点検口を有する浴室の天井裏に装置本体が設置される送風装置において、前記装置本体側面に接続される取付け脚と、取付け板と、前記取付け板と接続される固定金具と、を備え、前記装置本体は、前記取付け脚と前記固定金具とが接続されることで前記取付け板に取り付けられ、前記取付け脚は、第１固定部材が挿入される第１挿入部と、第２固定部材が挿入される第２挿入部と、を備え、前記第１挿入部は、前記点検口から見て前記装置本体の奥側に設けられ、前記第２挿入部は、前記点検口から見て前記装置本体の手前側に設けられ、前記第１固定部材が前記取付け板に水平な方向に前記第１挿入部に挿入され、前記第２固定部材が前記取付け板に垂直な方向に前記第２挿入部に挿入されて前記取付け脚と前記固定金具とを接続する、という構成を有する。
【００１２】
これにより、点検口から遠く手の届きにくい固定部において、横方向にねじ止めができることとなり、作業性が向上し、機器を容易に、強固に固定することができる。
【００１３】
また、浴室の天井裏に装置本体が設置される送風装置において、前記装置本体側面に設けられる取付け脚と、前記装置本体が取り付けられる取付け板と、前記取付け板と接続される固定金具と、を備え、前記固定金具は、前記取付け脚と係合する係合部を含み、前記取付け脚は、前記係合部と係合する開口を有し、前記取付け板と前記係合部とで仕切られる領域に前記取付け脚が挿入されることで前記係合部が前記開口と係合し、前記装置本体を前記取付け板に固定する、という構成を有する。
【００１４】
これにより、ねじ等を用いずに固定できることとなり、取り付けが容易になる効果を有する。
【００１５】
以下、本発明の実施の形態について図面を参照しながら説明する。
【００１６】
（実施の形態１）
まず、図１および図２を用いて、本発明の実施の形態１に係る送風装置の構成について説明する。
【００１７】
図１および図２に示すように、浴室１の浴室天井２の天井裏には取付け板８が設置されている。取付け板８は他室５の他室天井６と浴室天井２を隔てる壁部７の近傍に設置される。また、取付け板８には固定金具９が金具固定ねじ１２によって固定されている。取付け板８に固定金具９を固定した状態で、浴室天井２に設けられている点検口４より、浴室天井２の裏に設置される。
【００１８】
なお、以下の説明において、設置に際して、点検口４からみて遠い側を奥側、近い側を手前側と規定して説明を行う。
【００１９】
次に、図３を用いて装置本体の構成を説明する。
【００２０】
装置本体３には、例えば吹出しアダプターと吸込みアダプターが取り付けられており、装置本体３の取付け面の下部には取付け脚１０がねじにより固定されている。すなわち、取付け脚１０は、ねじにより装置本体３の側面と接続される。
【００２１】
取付け脚１０は、第１挿入部３０と、第２挿入部３１と、を有する。
【００２２】
第１挿入部３０は、固定金具９と接する部分を９０度に折り曲げられ、第１固定部材としての取付けねじ１１を貫通させる。すなわち、取付けねじ１１は第１挿入部３０に挿入される。
【００２３】
第２挿入部３１は、第２固定部材としての金具固定ねじ１２を貫通させる。すなわち金具固定ねじ１２は、第２挿入部３１に挿入される。
【００２４】
取付け脚１０は同一形状のものを１８０度回転させて取り付けることが可能である。
【００２５】
本実施の形態に係る送風装置の設置においては、図４に示すように、取付け板８に固定金具９を金具固定ねじ１２にて取り付け、点検口４から、浴室天井２の天井裏の設置位置に取り付ける。このとき、取付け板８は、裏面をたとえば強力な両面テープなどで浴室天井２へ固定される。次に、装置本体３を点検口４より搬入し、先に取り付けた取付け板８の上に置く。そして、装置本体３を奥側へスライドさせて固定金具９と取付け脚１０を接触させる。このとき、図７に示す第１挿入部３０と、図８に示す固定金具受部４０とが接触する。すなわち、図４（ｂ）に示す状態から、装置本体３をスライドさせることで、図４（ｂ）に示す状態となる。そして図５および図６に示すように、横方向に挿入する取付けねじ１１を第１挿入部３０に挿入することで固定金具９と取付け脚１０とを固定する。その後、手前側の第２挿入部３１に金具固定ねじ１２を挿入し、取付け脚１０を取付け板８へ固定する。
【００２６】
このように、固定金具９と取付け脚１０とが接続され、取付け脚１０と取付け板８とが接続されることで、装置本体３が取付け板８に取り付けられる。
【００２７】
この構成により、手の届きにくい奥側の固定部での作業が容易になり、機器を容易に、強固に固定することができる。
【００２８】
（実施の形態２）
実施の形態２において、実施の形態１と同様の構成要素については同一符号を付し、詳細の説明は省略する。
【００２９】
まず、図１０を用いて、本発明の実施の形態２に係る送風装置の構成について説明する。
【００３０】
図１０は本発明の実施の形態２の装置本体３の取付け状態を表す構成図である。
【００３１】
図１３、図１４に示すように、固定金具９は、両端に山型の係合部５０を設けている。
【００３２】
図１５に示すように、取付け脚１０は、固定金具９の係合部５０と係合する矩形の開口６０を設けており、取付け脚固定ねじ５１を貫通させる挿入部５２を有している。
【００３３】
本実施の形態に係る装置本体３の設置時において、係合部５０および開口６０は、点検口４から遠い側すなわち装置本体３より奥側に位置する。また、取付け脚固定ねじ５１および挿入部５２は、点検口４に近い側すなわち装置本体３より手前側に位置する。
【００３４】
また、取付け脚１０は同一形状のものを１８０度回転させて取り付けることが可能である。
【００３５】
このような構成において、図１０に示すように、浴室１内にて取付け板８に固定金具９をねじにて取り付け、点検口４より、天井裏の設置位置に取り付ける。このとき、取付け板８は裏面をたとえば強力な両面テープなどで浴室天井２へ固定する。次に、装置本体３を点検口４より搬入し、図１０に示すように、先に取り付けた取付け板８の上に置き、奥側へスライドさせる。これにより、取付け板８と固定金具９の係合部５０との間に取付け脚１０が挿入され、係合部５０と開口６０とが係合する。その後、手前側の挿入部５２に取付け脚固定ねじ５１を挿入して取付け板８へ固定する。
【００３６】
これにより、係合部５０と開口６０が係合することで装置本体３が固定金具９を介して取付け板８に取り付けられる。したがって、手の届きにくい奥側において、ねじ固定作業などが不要となり、取り付けが容易となる。
【００３７】
なお、取付け脚固定ねじ５１と金具固定ねじ１２、および挿入部５２と第２挿入部３１は同様の働きをするものである。
【００３８】
以上、本発明に係る送風装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００３９】
本発明にかかる送風装置は、作業性を向上させ、機器を容易に、強固に固定することを可能にするものであり、天井裏などに設置される送風機等の固定方法として有用である。
【符号の説明】
【００４０】
１    浴室
２    浴室天井
３    装置本体
４    点検口
５    他室
６    他室天井
７    壁部
８    取付け板
９    固定金具
１０    取付け脚
１１    取付けねじ
１２    金具固定ねじ
３０    第１挿入部
３１    第２挿入部
４０    固定金具受部
５０    係合部
５１    取付け脚固定ねじ
５２    挿入部
【図１】
2019100589.tif 000003
【図２】
2019100589.tif 000004
【図３】
2019100589.tif 000005
【図４】
2019100589.tif 000006
【図５】
2019100589.tif 000007
【図６】
2019100589.tif 000008
【図７】
2019100589.tif 000009
【図８】
2019100589.tif 000010
【図９】
2019100589.tif 000011
【図１０】
2019100589.tif 000012
【図１１】
2019100589.tif 000013
【図１２】
2019100589.tif 000014
【図１３】
2019100589.tif 000015
【図１４】
2019100589.tif 000016
【図１５】
2019100589.tif 000017
【図１６】
2019100589.tif 000018
【図１７】
2019100589.tif 000019
【図１８】
2019100589.tif 000020